(57)【特許請求の範囲】
【請求項１】
Ｘ線源と、Ｘ線検出器と、前記Ｘ線源を被検体の周りに回転しながら多数のガントリ角度で投影データを収集するスキャン手段とを備えたＸ線ＣＴ装置であって、
前記被検体のＡＰ方向をファンビームの中心としたＸ線投影によるスカウトデータを取得する取得手段と、
前記被検体のＡＰ方向における位置を検出する検出手段と、
前記被検体のＡＰ方向における位置と、前記Ｘ線源、前記Ｘ線検出器および前記回転中  心の幾何学的位置関係とに基づいて、前記取得手段により取得されたＡＰ方向のスカウトデータが表す画像のスケールを特定する特定手段と、
前記取得されたＡＰ方向のスカウトデータが表す画像上で操作者により指定されたラテラル方向の範囲と、前記特定されたスケールとに基づいて、前記投影データの収集時におけるＸ線照射出力を所定レベルより小さくするガントリ角度の角度範囲を制御する制御手段とを備えているＸ線ＣＴ装置。
【請求項２】
前記取得手段は、前記被検体のラテラル方向をファンビームの中心としたＸ線投影によるスカウトデータを取得し、
前記検出手段は、前記取得されたラテラル方向のスカウトデータを用いて前記被検体のＡＰ方向における位置を検出する請求項１に記載のＸ線ＣＴ装置。
【請求項３】
前記検出手段は、前記取得されたラテラル方向のスカウトデータが表す前記被検体の透過Ｘ線強度またはＸ線吸収度のプロファイルに基づいて、前記被検体のＡＰ方向における位置を検出する請求項２に記載のＸ線ＣＴ装置。
【請求項４】
前記検出手段は、前記取得されたラテラル方向のスカウトデータが表す画像における前記被検体の認識結果に基づいて、前記被検体のＡＰ方向における位置を検出する請求項２に記載のＸ線ＣＴ装置。
【請求項５】
前記検出手段は、前記取得されたラテラル方向のスカウトデータが表す画像上で操作者により指定された位置情報に基づいて、前記被検体のＡＰ方向における位置を検出する請求項２に記載のＸ線ＣＴ装置。
【請求項６】
前記検出手段は、撮影テーブルの高さ位置情報に基づいて前記被検体のＡＰ方向の位置を検出する請求項１に記載のＸ線ＣＴ装置。
【請求項７】
前記制御手段は、前記特定されたスケールに基づいて求められる、前記指定されたラテラル方向の範囲に対応する実空間上での範囲に応じて、前記Ｘ線照射出力を所定レベルより小さくするガントリ角度の角度範囲を制御する請求項１から請求項６のいずれか一項に記載のＸ線ＣＴ装置。
【請求項８】
前記指定されたラテラル方向の範囲は、前記回転中心を中心とする所定の円周上の範囲をＡＰ方向に投影した範囲と対応付けされており、
前記制御手段は、前記円周上の範囲に対応する角度範囲を、前記Ｘ線照射出力を所定レベルより小さくするガントリ角度の角度範囲に設定する請求項１から請求項７のいずれか一項に記載のＸ線ＣＴ装置。
【請求項９】
前記検出手段は、前記被検体のＡＰ方向における位置として、前記被検体の前記回転中心からのずれ量を検出し、
前記特定手段は、前記被検体の体軸が前記回転中心に一致している場合におけるＡＰ方向のスカウトデータが表す画像のスケールに、前記検出されたずれ量によって求められる補正倍率を乗算して、前記取得されたＡＰ方向のスカウトデータが表す画像のスケールを特定する請求項１から請求項８のいずれか一項に記載のＸ線ＣＴ装置。
【発明の詳細な説明】
【技術分野】
【０００１】
本発明は、Ｘ線ＣＴ（Computed Tomography）装置に関し、詳しくは、被検体の放射線感受性の高い部位のＸ線被曝量を低減することができるＸ線ＣＴ装置に関する。
【背景技術】
【０００２】
Ｘ線ＣＴ装置を用いた撮影法として、被検体の体表面近くに存在する放射線感受性の高い部位のＸ線被曝量を低減する撮影法が種々提案されている。そのうちの１つとして、Ｘ線源の回転角度すなわちガントリ（gantry）角度が、放射線感受性の高い部位へのＸ線透過長が相対的に短くなるような所定の角度範囲にあるときに、Ｘ線照射出力を通常レベルより小さく制御する撮影法が知られている（特許文献１，要約、特許文献２，要約等参照）。
【先行技術文献】
【特許文献】
【０００３】
【特許文献１】特開２００４−３２１５８７号公報
【特許文献２】特開２０１０−２６９０４８号公報
【発明の概要】
【発明が解決しようとする課題】
【０００４】
ところで、撮影空間における放射線感受性の高い部位の位置や大きさは、被検体の撮影テーブル（table）上の位置、被検体の体格や姿勢、撮影部位等によって異なる。
【０００５】
そこで、上記の撮影法においては、Ｘ線照射出力を通常レベル（level）より小さくするガントリ角度の角度範囲を正確にかつ容易に設定できるよう、操作者が被検体のスカウト（scout）画像上で所望のシールド（shield）範囲を指定し、その範囲のＸ線被曝量が低減されるような上記角度範囲を設定することが考えられる。この場合、指定したシールド範囲が実際の撮影空間のどの範囲に対応するかを、スカウト画像のスケール（scale）を基に求める必要がある。
【０００６】
スカウト画像のスケールは、通常、被検体の体軸がアイソセンタ（iso-center）すなわちＸ線源の回転中心と一致していることを前提として、その場合におけるスカウト撮影時の被検体の投影拡大率を用いて決める。投影拡大率は、被検体がＸ線源からのファンビーム（fan
beam）Ｘ線によって何倍に拡大されてＸ線検出器面に投影されるかを示す値であり、Ｘ線源、Ｘ線検出器および被検体の幾何学的な位置関係に基づいて算出される。
【０００７】
しかしながら、実際の撮影では、撮影テーブルの高さ調整が不十分であったり、関心部位が被検体の中心から外れていたりして、被検体の体軸がアイソセンタと高さ方向でずれている場合がある。この場合には、真の投影拡大率が想定値と異なるため、スカウト画像のスケールに誤差が生じ、スカウト画像上で指定されたシールド範囲に対応する実際の撮影空間での範囲にも誤差が生じることになる。その結果、Ｘ線照射出力を通常レベルより小さくするガントリ角度の角度範囲を正確に設定することができず、被検体の放射線感受性の高い部位のＸ線被曝量を的確に低減することができない。
【０００８】
このような事情により、被検体の放射線感受性の高い部位のＸ線被曝量を的確に低減することができるＸ線ＣＴ装置が望まれている。
【課題を解決するための手段】
【０００９】
第１の観点の発明は、Ｘ線源と、Ｘ線検出器と、前記Ｘ線源を被検体の周りに回転しながら多数のガントリ角度で投影データを収集するスキャン手段とを備えたＸ線ＣＴ装置であって、前記被検体のＡＰ方向およびラテラル方向のスカウトデータを取得する取得手段と、前記取得手段により取得されたラテラル方向のスカウトデータを用いて、前記被検体のＡＰ方向における位置を検出する検出手段と、前記検出手段により検出された前記被検体のＡＰ方向における位置と、前記Ｘ線源、前記Ｘ線検出器および前記回転中心の幾何学的位置関係とに基づいて、前記取得手段により取得されたＡＰ方向のスカウトデータが表す画像のスケールを特定する特定手段と、前記取得されたＡＰ方向のスカウトデータが表す画像上で操作者により指定されたラテラル方向の範囲と、前記特定されたスケールとに基づいて、前記投影データの収集時におけるＸ線照射出力を所定レベルより小さくするガントリ角度の角度範囲を制御する制御手段とを備えているＸ線ＣＴ装置を提供する。
【００１０】
第１の観点の発明は、Ｘ線源と、Ｘ線検出器と、前記Ｘ線源を被検体の周りに回転しながら多数のガントリ角度で投影データを収集するスキャン（scan）手段とを備えたＸ線ＣＴ装置であって、前記被検体の少なくともＡＰ方向のスカウトデータを取得する取得手段と、前記被検体のＡＰ方向における位置を検出する検出手段と、前記被検体のＡＰ方向における位置と、前記Ｘ線源、前記Ｘ線検出器および前記回転中心の幾何学的位置関係とに基づいて、前記取得手段により取得されたＡＰ方向のスカウトデータが表す画像のスケールを特定する特定手段と、前記取得されたＡＰ方向のスカウトデータが表す画像上で操作者により指定されたラテラル（lateral）方向の範囲と、前記特定されたスケールとに基づいて、前記投影データの収集時におけるＸ線照射出力を所定レベルより小さくするガントリ角度の角度範囲を制御する制御手段とを備えているＸ線ＣＴ装置を提供する。
【００１１】
第２の観点の発明は、前記取得手段が、前記被検体のラテラル方向のスカウトデータを取得し、前記検出手段が、前記取得されたラテラル方向のスカウトデータを用いて前記被検体のＡＰ方向における位置を検出する上記第１の観点のＸ線ＣＴ装置を提供する。
【００１２】
第３の観点の発明は、前記検出手段が、前記取得されたラテラル方向のスカウトデータが表す前記被検体の透過Ｘ線強度またはＸ線吸収度のプロファイル（profile）に基づいて、前記被検体のＡＰ方向における位置を検出する上記第２の観点のＸ線ＣＴ装置を提供する。
【００１３】
第４の観点の発明は、前記検出手段が、前記取得されたラテラル方向のスカウトデータが表す画像における前記被検体の認識結果に基づいて、前記被検体のＡＰ方向における位置を検出する上記第２の観点のＸ線ＣＴ装置を提供する。
【００１４】
第５の観点の発明は、前記検出手段が、前記取得されたラテラル方向のスカウトデータが表す画像上で操作者により指定された位置情報に基づいて、前記被検体のＡＰ方向における位置を検出する上記第２の観点のＸ線ＣＴ装置を提供する。
【００１５】
第６の観点の発明は、前記検出手段が、撮影テーブルの高さ位置情報に基づいて前記被検体のＡＰ方向における位置を検出する第１の観点のＸ線ＣＴ装置。
【００１６】
第７の観点の発明は、前記制御手段が、前記特定されたスケールに基づいて求められる、前記指定されたラテラル方向の範囲に対応する実空間上での範囲に応じて、前記Ｘ線照射出力を所定レベルより小さくするガントリ角度の角度範囲を制御する上記第１の観点から第６の観点のいずれか一つの観点のＸ線ＣＴ装置を提供する。
【００１７】
第８の観点の発明は、前記指定されたラテラル方向の範囲が、前記回転中心を中心とする所定の円周上の範囲をＡＰ方向に投影した範囲と対応付けされており、前記制御手段が、前記円周上の範囲に対応する角度範囲を、前記Ｘ線照射出力を所定レベルより小さくするガントリ角度の角度範囲に設定する上記第１の観点から第７の観点のいずれか一つの観点のＸ線ＣＴ装置を提供する。
【００１８】
第９の観点の発明は、前記検出手段が、前記被検体のＡＰ方向における位置として、前記被検体の前記回転中心からの相対位置を検出し、前記特定手段が、前記被検体の体軸が前記回転中心に一致している場合におけるＡＰ方向のスカウトデータが表す画像のスケールに、前記検出された相対位置によって求められる補正倍率を乗算して、前記取得されたＡＰ方向のスカウトデータが表す画像のスケールを特定する上記第１の観点から第８の観点のいずれか一つの観点のＸ線ＣＴ装置を提供する。
【００１９】
ここで、「ガントリ角度」は、Ｘ線源の回転方向における位置を示す回転角度であり、「ビュー（view）角度」あるいは「投影角度」ともいう。
【００２０】
「Ｘ線源」は、例えば「Ｘ線管」であり、「Ｘ線照射出力」の「所定レベル」は、Ｘ線管の管電圧を一定にしたときの一定の管電流や、自動露出機構により決定された変調する管電流などである。
【００２１】
「スカウトデータ」は、本スキャン前に行われるスカウトスキャンによって取得されるデータである。「スカウトスキャン」としては、例えば、ガントリ角度を一定にして被検体または走査ガントリを被検体の体軸方向に移動させながら、本スキャンのときよりも低線量のＸ線ビームを被検体に照射して投影データを収集するスキャンを考えることができる。
【００２２】
「ＡＰ方向」とは、被検体の前後方向であり、ＡＰ（前から後ろ）の向きとＰＡ（後ろから前）の向きの両方を含む。
【００２３】
「ラテラル方向」とは、被検体の左右方向であり、左向きと右向きの両方を含む。
【００２４】
「スケール」とは、画像が表す空間の実際の寸法を規定する尺度であり、例えば１画素辺りに対応する実空間上での距離である。
【発明の効果】
【００２５】
上記観点の発明によれば、ＡＰ方向のスカウトデータが表す画像のスケールを、検出した被検体のＡＰ方向の位置から特定するので、その画像の正確なスケールを求めることができる。そして、その画像上で指定されたシールド範囲が実際の撮影空間のどの範囲に対応するかを正確に求めることができるので、Ｘ線照射出力を所定レベルより小さくするガントリ角度の角度範囲を正確に設定することができる。その結果、被検体の放射線感受性の高い部位のＸ線被曝量を的確に低減することができる。
【図面の簡単な説明】
【００２６】
【図１】第一実施形態に係るＸ線ＣＴ装置の構成を概略的に示す図である。
【図２】ガントリ角度θを説明するための図である。
【図３】第一実施形態に係る被検体の保護部位を説明するための図である。
【図４】第一実施形態のＸ線ＣＴ装置によるＸ線ＣＴ画像撮影処理の動作を示すフロー（flow）図である。
【図５】ラテラル方向のスカウトデータが表すＸ線吸収度のｙ方向のプロファイルの一例を示す図である。
【図６】Ｘ線管のＸ線焦点、Ｘ線検出器の検出面、アイソセンタ、および被検体の中心位置との関係の一例を示す図である。
【図７】第一実施形態に係るシールド範囲を指定するための画面の一例を示す図である。
【図８】第一実施形態に係るシールド範囲を示す矩形領域と仮想的なシールド部材との対応関係を示す図である。
【図９】第一実施形態に係る被曝低減Ｘ線照射によるスキャンにおけるガントリ角度とＸ線照射出力との関係を示す図である。
【発明を実施するための形態】
【００２７】
以下、発明の実施形態について説明する。なお、これにより発明が限定されるものではない。
【００２８】
（第一実施形態）
図１は、第一実施形態に係るＸ線ＣＴ装置１００の構成を概略的に示す図である。このＸ線ＣＴ装置１００は、操作コンソール１と、撮影テーブル１０と、走査ガントリ２０とを備えている。
【００２９】
操作コンソール１は、操作者からの入力を受け付ける入力装置２と、被検体の撮影を行うための各部の制御や画像を生成するためのデータ（data）処理などを行う中央処理装置３と、走査ガントリ２０で取得したデータを収集するデータ収集バッファ（buffer）５と、画像を表示するモニタ（monitor）６と、プログラム（program）やデータなどを記憶する記憶装置７とを備えている。
【００３０】
撮影テーブル１０は、被検体４０を載せて走査ガントリ２０の開口部に搬送するクレードル（cradle）１２を備えている。クレードル１２は、撮影テーブル１０に内蔵するモータ（motor）で昇降および水平直線移動される。なお、ここでは、被検体４０の体軸方向すなわちクレードル１２の水平直線移動方向をｚ方向、鉛直方向をｙ方向、ｚ方向およびｙ方向に垂直な水平方向をｘ方向とする。また、被検体４０は、仰向けの状態でクレードル１２に載置される場合を想定する。
【００３１】
走査ガントリ２０は、回転部１５と、回転部１５を回転可能に支持する本体部２０ａとを有する。回転部１５には、Ｘ線管２１と、Ｘ線管２１を制御するＸ線コントローラ（controller）２２と、Ｘ線管２１から発生したＸ線ビーム８１をコリメート（collimate）するコリメータ（collimator）２３と、被検体４０を透過したＸ線ビーム８１を検出するＸ線検出器２４と、Ｘ線検出器２４の出力を投影データに変換して収集するデータ収集装置２５と、Ｘ線コントローラ２２，コリメータ２３，ＤＡＳ２５の制御を行う回転部コントローラ２６とが搭載されている。本体部２０ａは、制御信号などを操作コンソール１や撮影テーブル１０と通信する制御コントローラ２９を備えている。回転部１５と本体部２０ａとは、スリップリング（slip
ring）３０を介して電気的に接続されている。
【００３２】
図２は、ガントリ角度θを説明するための図である。
【００３３】
ガントリ角度θは、回転中心ＩＣの周りに回転するＸ線管２１の回転角度である。ここでは、ファンビームＦの中心線が鉛直下向きになるときのガントリ角度をθ＝０とする。
【００３４】
図３は、被検体Ｈの保護部位を説明するための図である。
【００３５】
ここでは、図３に示すように、被検体Ｈの頭部を撮影部位とし、被検体Ｈの体表面近くに存在する放射線感受性の高い部位である左眼球ＥＬおよび右眼球ＥＲを含む保護部位Ｐを想定する。
【００３６】
図４は、Ｘ線ＣＴ装置１００によるＸ線ＣＴ画像撮影処理の動作を示すフロー図である。
【００３７】
ステップ（step）Ｓ１では、被検体Ｈの頭部に対するスカウトスキャンを行って、ＡＰ方向およびラテラル方向のスカウトデータをそれぞれ取得する。
【００３８】
ステップＳ２では、被検体ＨのＡＰ方向すなわちｙ方向あるいは高さ方向におけるアイソセンタからのずれ量を検出する。この被検体Ｈのｙ方向のずれ量ΔＹの検出を次に説明する。
【００３９】
まず、被検体Ｈのｙ方向の中心位置Ｙｍを求める。
【００４０】
例えば、図５に示すように、ラテラル方向のスカウトデータが表す被検体Ｈのｙｚ面方向のＸ線吸収度をｚ方向に積算して、Ｘ線吸収度のｙ方向のプロファイルＰＲを求める。次に、このプロファイルＰＲのｙ方向の重心位置、すなわちプロファイル面積をｙ方向に均等に二分する位置を、被検体Ｈのｙ方向の中心位置Ｙｍとして求める。重心位置の代わりに、プロファイル幅を均等に二分する中央位置などを用いてもよい。
【００４１】
また例えば、ラテラル方向のスカウトデータが表すラテラルスカウト画像において被検体Ｈを認識し、認識された被検体Ｈの領域からｙ方向の中心位置Ｙｍを求める。
【００４２】
また例えば、ラテラル方向のスカウトデータが表すラテラルスカウト画像上で、操作者が被検体Ｈのｙ方向の中心位置と考える所望位置を指定し、その所望位置を中心位置Ｙｍとする。
【００４３】
また例えば、撮影テーブル１０の高さ位置情報に基づいて、中心位置Ｙｍを検出する。被検体のＡＰ方向すなわちｙ方向の厚みは、成人か小児かの情報や、その他の被検体情報等からある程度推測できるので、撮影テーブル１０の高さが分かれば、被検体の中心位置Ｙｍも所定の誤差内で求めることができる。
【００４４】
そして、アイソセンタＩＣのｙ方向の位置Ｙｉｃからこの中心位置Ｙｍまでの距離（Ｙｉｃ−Ｙｇ）を、被検体Ｈのｙ方向のずれ量ΔＹとする。
【００４５】
ステップＳ３では、被検体Ｈのｙ方向のずれ量ΔＹを基に、ＡＰ方向のスカウトデータが表すＡＰスカウト画像のスケールを補正する。このＡＰスカウト画像のスケールの補正を次に説明する。
【００４６】
図６は、Ｘ線管２１のＸ線焦点ｆ、Ｘ線検出器２４の検出面ｓ、アイソセンタＩＣ、および被検体Ｈの中心位置Ｙｍとの関係の一例を示している。
【００４７】
この例において、被検体Ｈの中心位置ＹｍがアイソセンタＩＣに一致している場合、被検体ＨのＡＰ方向の投影拡大率ｋ０は、おおよそＸ線焦点ｆとアイソセンタＩＣとの距離ｒと、Ｘ線焦点ｆと検出面ｓとの距離２ｒとの比である２ｒ／ｒとなる。
【００４８】
一方、被検体Ｈの中心位置ＹｍがアイソセンタＩＣから下方すなわち−ｙ方向にΔＹだけずれている場合の投影拡大率ｋ１は、おおよそＸ線焦点ｆとアイソセンタＩＣとの距離ｒにΔＹを加算した距離ｒ＋ΔＹと、Ｘ線焦点ｆと検出面ｓとの距離２ｒとの比である２ｒ／（ｒ＋ΔＹ）となる。
【００４９】
そこで、被検体Ｈの中心位置ＹｍがアイソセンタＩＣから−ｙ方向にΔＹだけずれている場合には、ＡＰスカウト画像のスケールを、被検体Ｈの中心位置ＹｍがアイソセンタＩＣに一致している場合を想定したスケールＳＣ０に、補正倍率ｋ１／ｋ０すなわち（ｒ＋ΔＹ）／ｒを乗算して、ＳＣ０・（ｒ＋ΔＹ）／ｒに補正する。
【００５０】
ステップＳ４では、補正されたスケールでＡＰスカウト画像を生成するとともに、ラテラルスカウト画像を生成する。
【００５１】
ステップＳ５では、Ｘ線ＣＴ装置に保護対象部位の自動検出機能が搭載されているか否かを判定する。自動検出機能が搭載されているときはステップＳ６へ進み、搭載されていないときはステップＳ７に進む。
【００５２】
ステップＳ６では、ＡＰスカウト画像および／またはラテラルスカウト画像に対して保護対象部位の自動検出処理を行い、検出された保護対象部位を含むシールド範囲を指定する。そして、ステップＳ８に進む。なお、この自動検出処理には、パターン（pattern）認識処理やテンプレートマッチング（template matching）処理など、既知の画像認識処理を用いることができる。
【００５３】
ステップＳ７では、操作者は、入力装置２を操作して、ＡＰスカウト画像Ｇａｐおよびラテラルスカウト画像Ｇｌｔ上で、保護対象部位Ｐすなわち左眼球ＥＬおよび右眼球ＥＲを含む部位を囲むようにシールド範囲を指定する。
【００５４】
例えば、図７に示すように、シールド範囲を指定するための画面をモニタ６に表示する。この画面には、ＡＰスカウト画像Ｇａｐおよびラテラルスカウト画像Ｇｌｔが表示される。また、ＡＰスカウト画像Ｇａｐ上には矩形領域Ｒａｐが、ラテラルスカウト画像Ｇｌｔ上には矩形領域Ｒｌｔが、それぞれ半透明に表示される。矩形領域ＲａｐおよびＲｌｔはシールド範囲を示すものであり、図８に示すように、撮影空間で被検体Ｈの体表面を覆う仮想的なシールド部材ＳＤを表している。つまり、矩形領域Ｒａｐは、この仮想的なシールド部材ＳＤをＡＰ方向すなわちｙ方向に投影した領域を表しており、矩形領域Ｒｌｔは、この仮想的なシールド部材ＳＤをラテラル方向すなわちｘ方向に投影した領域を表している。仮想的なシールド部材ＳＤは、例えばアイソセンタＩＣを中心とする所定の円周に沿うように湾曲している。この円周は、例えば撮像視野ＳＦＯＶの輪郭を表す円周や、被検体Ｈの体表面に近接する円（真円または楕円）ＣＮの円周などとすることができる。体表面に近接する円ＣＮは、ＡＰスカウト画像Ｇａｐおよびラテラルスカウト画像Ｇｌｔから被検体Ｈのおおよその大きさが分かるので、その大きさから求めることができる。仮想的なシールド部材ＳＤは、ここでは左右対称であるが、左右非対称であってもよい。
【００５５】
操作者は、入力装置２を操作して、これら矩形領域ＲａｐおよびＲｌｔを移動させたり変形させたりすることで、仮想的なシールド部材ＳＤが保護対象部位Ｐを覆うように調整する。なお、矩形領域ＲａｐおよびＲｌｔは、互いに連動して移動および変形する。
【００５６】
操作者が入力装置２を操作して確定指令を入力すると、Ｘ線照射出力を通常レベルより小さくするガントリ角度θの角度範囲として、例えばこの仮想的なシールド部材ＳＤの円周方向の範囲に対応する角度範囲−βｕ≦θ≦βｕを設定する。また、このような被曝低減Ｘ線照射によるスキャンを行うｚ方向の範囲として、例えばこの仮想的なシールド部材ＳＤのｚ方向範囲Ｒｚを設定する。
【００５７】
ＡＰスカウト画像は、補正されたスケールで生成されているので、この仮想的なシールド部材ＳＤが実際の撮影空間のどの範囲に対応しているかを正確に求めることができ、Ｘ線照射出力を通常レベルより小さくするガントリ角度θの角度範囲を正確に設定することができる。
【００５８】
なお、シールド範囲は、ＡＰスカウト画像Ｇａｐ上のみで指定してもよい。
【００５９】
ステップＳ８では、被曝低減Ｘ線照射によるスキャンを行って投影データを収集する。すなわち、ｚ方向範囲Ｒｚをスキャンするときに、図９に示すように、ガントリ角度θが０≦θ≦βｕおよびπ−βｕ≦θ≦２πにあるときのＸ線照射出力のレベルを、通常レベルＬ１より小さいレベルＬ２にして投影データを収集する。
【００６０】
ステップＳ９では、投影データに対して画像再構成処理を行い、ＣＴ画像を生成する。
【００６１】
ステップＳ１０では、ＣＴ画像をモニタ６に表示する。
【００６２】
このような第一実施形態のＸ線ＣＴ装置によれば、ＡＰスカウト画像のスケールを、検出した被検体の高さ方向すなわちＡＰ方向のアイソセンタＩＣからのずれ量から補正するので、ＡＰスカウト画像を正確なスケールで生成することができる。そして、そのＡＰスカウト画像上で指定されたシールド範囲が実際の撮影空間のどの範囲に対応するかを正確に求めることができるので、Ｘ線照射出力を通常レベルより小さくするガントリ角度θの角度範囲を正確に設定することができる。その結果、被検体の放射線感受性の高い部位である眼球ＥＬ，ＥＲのＸ線被曝量を的確に低減することができる。
【００６３】
（第二実施形態）
第二実施形態では、被検体Ｈのｙ方向の位置を検出し、検出した被検体Ｈのｙ方向の位置と、Ｘ線焦点ｆ、検出器面ｓおよびアイソセンタＩＣの幾何学的な位置関係とに基づいて、ＡＰスカウト画像のスケールを直接求める。
【００６４】
このような第二実施形態のＸ線ＣＴ装置によれば、被検体Ｈの体軸がアイソセンタＩＣと一致している場合のＡＰスカウト画像のスケールを想定値として用意しておかなくても、第一実施形態と同様に、ＡＰスカウト画像を正確なスケールで生成することができる。
【００６５】
（他の実施形態）
上記と同様にして、例えば甲状腺、乳房（乳腺）、生殖器等へのＸ線被曝量を低減することができる。
【符号の説明】
【００６６】
１  操作コンソール
２  入力装置
３  中央処理装置
５  データ収集バッファ
６  モニタ
７  記憶装置
１０  撮影テーブル
１２  クレードル
１５  回転部
２０  走査ガントリ
２１  Ｘ線管
２２  Ｘ線コントローラ
２３  コリメータ
２４  Ｘ線検出器
２５  データ収集装置
２６  回転部コントローラ
２９  制御コントローラ
３０  スリップリング
１００  Ｘ線ＣＴ装置
Ｆ  Ｘ線ビーム
Ｈ  被検体
【図１】
0005697970.tif 000002
【図２】
0005697970.tif 000003
【図３】
0005697970.tif 000004
【図４】
0005697970.tif 000005
【図５】
0005697970.tif 000006
【図６】
0005697970.tif 000007
【図７】
0005697970.tif 000008
【図８】
0005697970.tif 000009
【図９】
0005697970.tif 000010